(57)【特許請求の範囲】
【請求項１】
車両に設けられた灯具に向けて洗浄液を噴射する灯具クリーナの取り付け構造であって、
開口部が形成された、バンパーと、
洗浄動作時には前記開口部を介して前記バンパーの外表面よりも外側に突出するとともに、非洗浄動作時には前記バンパーの前記外表面よりも内側に収容されるように設けられた、クリーナ本体部と、
閉塞状態にて外表面が前記バンパーの前記外表面と略面一となるように前記開口部を閉塞するとともに、前記閉塞状態から前記クリーナ本体部の突出方向に移動することで前記開口部を開放するように設けられた、カバー部材と、
前記クリーナ本体部と前記カバー部材とを結合することで前記カバー部材が前記クリーナ本体部とともに移動するように、前記カバー本体と前記クリーナ本体部との間に設けられた、ブラケット部材と、
を備え、
前記ブラケット部材は、
前記クリーナ本体部の突出方向に沿った軸を中心とした回転状態における第一の状態にて前記開口部と係合する一方で、前記第一の状態から前記軸を中心として回転させた第二の状態にて前記開口部との係合が解除されるように設けられた、係合部を備え、
前記第一の状態及び前記第二の状態にて、前記カバー部材を前記閉塞状態に支持するように構成された
ことを特徴とする、灯具クリーナの取り付け構造。
【発明の詳細な説明】
【技術分野】
【０００１】
本発明は、車両に設けられた灯具に向けて洗浄液を噴射する灯具クリーナの取り付け構造に関する。
【背景技術】
【０００２】
この種の構造において、美観等の観点から、灯具クリーナのカバーがバンパーと略面一になるものが、従来広く知られている（例えば、特開２００３−１８２５３４号公報、特開２００４−７４８４４号公報、特開２００６−１３０９４９号公報、等参照。）。
【発明の概要】
【０００３】
この種の構造において、灯具クリーナのカバーとバンパーとが別々の塗装工程で塗装されると、両者の間に微妙な色ずれが生じ、車両の美観を高レベルに保持することが困難となる。本発明は、かかる課題に対処するためになされたものである。
【０００４】
＜構成＞
本発明の適用対象である灯具クリーナは、車両に設けられた灯具に向けて洗浄液を噴射するように構成されている。本発明に係る、灯具クリーナの取り付け構造は、バンパーと、クリーナ本体部と、カバー部材と、ブラケット部材と、を備えている。
【０００５】
前記バンパーには、開口部が形成されている。前記クリーナ本体部は、洗浄動作時には前記開口部を介して前記バンパーの外表面よりも外側に突出するとともに、非洗浄動作時には前記バンパーの前記外表面よりも内側に収容されるように設けられている。前記カバー部材は、閉塞状態にて外表面が前記バンパーの前記外表面と略面一となるように前記開口部を閉塞するとともに、前記閉塞状態から前記クリーナ本体部の突出方向に移動することで前記開口部を開放するように設けられている。
【０００６】
前記ブラケット部材は、前記クリーナ本体部と前記カバー部材とを結合することで前記カバー部材が前記クリーナ本体部とともに移動するように、前記カバー本体と前記クリーナ本体部との間に設けられている。すなわち、前記カバー部材は、前記ブラケット部材を介して前記クリーナ本体部に装着されるようになっている。
【０００７】
本発明の特徴は、前記ブラケット部材が、
・前記クリーナ本体部の突出方向に沿った軸を中心とした当該ブラケット部材の回転状態における第一の状態にて前記開口部と係合する一方で、前記第一の状態から前記軸を中心として当該ブラケット部材を回転させた第二の状態（前記第一の状態とは異なる状態）にて前記開口部との係合が解除される（すなわち前記開口部と係合しない）ように設けられた、係合部を備えていて、
・前記第一の状態及び前記第二の状態にて、前記カバー部材を前記閉塞状態に支持するように構成された
ことにある。
【０００８】
＜作用・効果＞
かかる構成においては、前記バンパーの塗装の際には、前記ブラケット部材が、前記第一の状態に設定されるように前記バンパーにおける前記開口部に装着される。このとき、前記係合部が前記開口部と係合することで、前記ブラケット部材は前記バンパーにおける前記開口部に固定される。このようにして前記バンパーにおける前記開口部に装着（固定）された、前記第一の状態の前記ブラケット部材は、前記カバー部材を前記閉塞状態にて固定的に支持することが可能となる。
【０００９】
このため、前記第一の状態の前記ブラケット部材を介して、塗装前の前記カバー部材を塗装前の前記バンパーに装着した状態で、前記バンパー及び前記カバー部材の塗装を同時に行うことが可能となる。すなわち、本発明によれば、塗装後に前記灯具クリーナが組み立てられた状態と略同様の装着状態で、塗装前の前記カバー部材を塗装前の前記バンパーに装着して、前記カバー部材及び前記バンパーを同時に塗装工程に付することが可能となる。したがって、本発明によれば、前記バンパーと前記カバー部材との塗装状態を良好に整合させることが可能となる。
【００１０】
特に、前記ブラケット部材を介して前記カバー部材を前記クリーナ本体部に装着する構造を採用することで、前記バンパーと前記カバー部材とを同材質で形成することが容易となる。よって、前記バンパーと前記カバー部材との塗装状態をよりいっそう良好に整合させることが可能となるとともに、前記バンパーと前記カバー部材とを同材質で形成した場合の当該カバー部材の前記クリーナ本体部への装着を良好に行うことが可能となる。さらに、前記係合部が前記ブラケット部材に設けられているため、塗装前の前記バンパーに対して塗装前の前記カバー部材を組み付けるための専用の冶具等の部材を用いなくても、前記バンパー及び前記カバー部材の同時塗装が良好に行われる。
【００１１】
一方、前記カバー部材を前記クリーナ本体部に装着する際には、前記ブラケット部材が、前記第二の状態に設定される。このとき、前記係合部は前記開口部と係合しない。よって、前記クリーナ本体部の進退動作及びこれに伴う前記カバー部材による前記開口部の開閉動作が、スムーズに行われる。
【図面の簡単な説明】
【００１２】
【図１】本発明の一実施形態が適用された車両の外観図（正面図）である。
【図２】本発明の一実施形態が適用された車両の外観図（側面図）である。
【図３】図２に示されている本実施形態のヘッドランプクリーナの概略構成を示す分解斜視図である。
【図４】図２に示されている本実施形態のヘッドランプクリーナの概略構成を示す分解斜視図である。
【図５】図３及び図４に示されているカバー部材（塗装前）を塗装前のバンパーに対して装着する際の様子を示す分解斜視図である。
【図６】図３及び図４に示されている本実施形態のヘッドランプクリーナの組み立て（ここでカバー部材及びバンパーはともに塗装後である）の際の様子を示す分解斜視図である。
【発明を実施するための形態】
【００１３】
以下、本発明の実施形態について、図面を参照しつつ説明する。なお、後述するように、本発明が、以下に説明する実施形態の具体的構成に何ら限定されるものではないことは、全く当然である。本実施形態に対して施され得る各種の変更（変形例：modification）は、当該実施形態の説明中に挿入されると、一貫した実施形態の説明の理解が妨げられるので、末尾にまとめて記載されている。
【００１４】
＜全体構成＞
図１及び図２は、本発明の一実施形態が適用された車両１の外観図（図１は正面図、図２は側面図）である。図１及び図２を参照すると、車両１における車体２の前側端部には、一対のヘッドランプ３が装着されている。ヘッドランプ３の前面は、アウターレンズ３ａによって覆われている。
【００１５】
車体２の前側端部であって、ヘッドランプ３よりも下方には、車両１の外壁を構成する板状部材であるバンパー４が装着されている。バンパー４の上側表面（以下、「バンパー上面４ａ」と称する。）における、ヘッドランプ３と対向する位置には、平面視にて略矩形状（長方形状）の開口部４ｂが形成されている。
【００１６】
車体２の前側端部におけるバンパー４の内側であって、開口部４ｂに対応する位置には、ヘッドランプクリーナ５が取り付けられている。図２を参照すると、ヘッドランプクリーナ５は、洗浄動作時には開口部４ｂを介してバンパー上面４ａよりも外側に突出してヘッドランプ３のアウターレンズ３ａに向けて洗浄液ＷＦを噴射するとともに、非洗浄動作時にはバンパー上面４ａよりも内側に収容されるように構成されている。具体的には、ヘッドランプクリーナ５は、伸縮シリンダ５ａと、クリーナ本体部５ｂと、外側カバー部材５ｃと、を備えている。
【００１７】
伸縮シリンダ５ａは、洗浄動作時にはクリーナ本体部５ｂをバンパー上面４ａよりも外側に突出させるために伸長するとともに、非洗浄動作時にはクリーナ本体部５ｂをバンパー上面４ａよりも内側に収容するために縮退するように構成されている。クリーナ本体部５ｂは、伸縮シリンダ５ａの先端に固定されている。このクリーナ本体部５ｂは、図２に示されているように、伸縮シリンダ５ａの伸長によってヘッドランプ３に対向する位置まで突出したときに、洗浄液ＷＦを噴射するように構成されている。
【００１８】
外側カバー部材５ｃは、クリーナ本体部５ｂに装着されている。この外側カバー部材５ｃは、閉塞状態（非洗浄動作時）にて外表面がバンパー上面４ａと略面一となるように開口部４ｂを閉塞するとともに、洗浄動作時にはこの閉塞状態からクリーナ本体部５ｂの突出方向に移動することで開口部４ｂを開放するように設けられている。
【００１９】
＜ヘッドランプクリーナの取り付け構造の要部構成＞
図３及び図４は、図２に示されている本実施形態のヘッドランプクリーナ５の概略構成を示す分解斜視図である。図５は、図３及び図４に示されている外側カバー部材５ｃ（塗装前）を塗装前のバンパー４に対して装着する際の様子を示す分解斜視図である。図６は、図３及び図４に示されている本実施形態のヘッドランプクリーナ５の組み立て（ここでバンパー４及び外側カバー部材５ｃはともに塗装された後の状態のものである）の際の様子を示す分解斜視図である。以下、図３〜図６を参照しつつ、本実施形態のヘッドランプクリーナ５の構成（特にバンパー４に対する取り付け構造）について説明する。
【００２０】
図３を参照すると、バンパー４の開口部４ｂに対応する位置には、略バスタブ状の凹部を構成するヘッドランプクリーナリテーナ４１が設けられている。本実施形態のヘッドランプクリーナ５のケーシングを構成するクリーナ本体ケーシング５１は、平面視（中心軸Ｃと直交する平面に投影するように当該中心軸Ｃに沿って見た場合）にて略矩形状に形成された箱状部材であって、外側（外側カバー部材５ｃ側）に向かって開口するように設けられている。なお、中心軸Ｃは、クリーナ本体部５ｂの突出方向と平行であって、クリーナ本体ケーシング５１の中心を通る直線である。
【００２１】
クリーナ本体ケーシング５１は、一対の側板５１ａの端部にそれぞれ設けられた舌片状の部材である組付片５１ｂがヘッドランプクリーナリテーナ４１の底部と係合することで、バンパー４に対して着脱可能（一旦装着した後に作業者の手指による操作により特段の困難性なく再度分離可能：以下同様）に装着されている。図３に示されているように、組付片５１ｂは、側板５１ａの幅方向における中央部にて、ヘッドランプクリーナリテーナ４１に向けて突出するように設けられている。すなわち、一対の組付片５１ｂは、互いに平行且つ中心軸Ｃについて対称に配置されている。
【００２２】
また、一対の側板５１ａのそれぞれには、略Ｕ字状の切欠部５１ｃが形成されている。切欠部５１ｃは、組付片５１ｂの側方（図中右斜め上方）に設けられている。一対の切欠部５１ｃは、互いに対向するように配置されている。すなわち、一対の切欠部５１ｃは、中心軸Ｃを通り一対の側板５１ａのそれぞれと平行な平面である対称面について面対称（鏡像対称）となるように設けられている。
【００２３】
図４を参照すると、クリーナ本体部５ｂは、ノズル部５２と、ブラケット係合部５３と、を備えている。ノズル部５２は、上述したように、突出時に洗浄液ＷＦ（図２参照）を噴射するように構成されている。ブラケット係合部５３は、ノズル部５２よりも突出方向側（図中上側）に配置されている。このブラケット係合部５３は、外側カバー部材５ｃを構成する後述のブラケット部材５５と係合することで、当該ブラケット部材５５をクリーナ本体部５ｂに固定するように設けられている。
【００２４】
外側カバー部材５ｃは、カバー本体５４を備えている。カバー本体５４は、カバーパネル５４ａと、一対の結合舌片５４ｂと、を備えている。
【００２５】
カバーパネル５４ａは、平面視にて開口部４ｂと同形状の略矩形状（長方形状）の板状部材であって、開口部４ｂ内に収容された状態で外表面がバンパー上面４ａと略面一となるように形成されている。結合舌片５４ｂは、カバー本体５４の裏面にて立設された板状部材であって、上述の中心軸Ｃ（クリーナ本体部５ｂの突出方向と平行であってカバーパネル５４ａの平面視における中心を通る軸）に沿って延出するように設けられている。
【００２６】
一対の結合舌片５４ｂは、カバーパネル５４ａの平面視における略矩形状（長方形状）における長辺方向の両端部にて、互いに平行且つ中心軸Ｃについて対称に設けられている。さらに、結合舌片５４ｂの先端部には、貫通孔である結合孔５４ｃが形成されている。
【００２７】
カバー本体５４は、ブラケット部材５５を介してクリーナ本体部５ｂに装着されるようになっている。すなわち、外側カバー部材５ｃは、カバー本体５４と、ブラケット部材５５と、を備えている。
【００２８】
ブラケット部材５５は、クリーナ本体部５ｂとカバー本体５４とを結合することでカバー本体５４がクリーナ本体部５ｂとともに移動するように、クリーナ本体部５ｂとカバー本体５４との間に設けられている。なお、本実施形態においては、カバー本体５４は、ブラケット部材５５に対して着脱可能に構成されている。同様に、ブラケット部材５５は、クリーナ本体部５ｂにおけるブラケット係合部５３に対して着脱可能に構成されている。
【００２９】
ブラケット部材５５の本体部分を構成するブラケット本体５５ａは、ブロック状の部材である。ブラケット本体５５ａには、カバー本体５４を支持するための構成や、カバー本体５４を支持した状態でバンパー４やクリーナ本体部５ｂに装着されるための構成が設けられている。具体的には、このブラケット本体５５ａには、挿通孔５５ｂと、ノズル係合部５５ｃと、支持舌片５５ｄと、支持爪５５ｅと、係合舌片５５ｆと、係合爪５５ｇと、が設けられている。
【００３０】
ブラケット本体５５ａの平面視における長手方向（上述の長辺方向と平行な方向）の両端部であって、カバー本体５４における一対の結合舌片５４ｂに対応する位置には、それぞれ、貫通孔である挿通孔５５ｂが設けられている。この挿通孔５５ｂは、結合舌片５４ｂが外側（図３における左上側・図４〜図６における上側）から挿通されるように形成されている。
【００３１】
ブラケット本体５５ａの下部には、ノズル係合部５５ｃが設けられている。ノズル係合部５５ｃは、クリーナ本体部５ｂにおけるブラケット係合部５３と係脱可能に係合することで、ブラケット部材５５とクリーナ本体部５ｂとを着脱可能に組み付けるように構成されている。
【００３２】
挿通孔５５ｂの開口端縁から中心軸Ｃに沿って内側（図３における右下側・図５及び図６における下側）に向かって延出するように、支持舌片５５ｄが立設されている。支持舌片５５ｄは、板状部材であって、カバー本体５４をブラケット部材５５に装着する際に、カバー本体５４における結合舌片５４ｂと略密着状態で重ねられるように形成されている。本実施形態においては、一対の支持舌片５５ｄは、上述のカバー本体５４における一対の結合舌片５４ｂに対応するように、互いに平行且つ中心軸Ｃについて対称に設けられている。
【００３３】
支持舌片５５ｄには、支持爪５５ｅが、中心軸Ｃから離隔する方向に突出するように設けられている。この支持爪５５ｅは、カバー本体５４をブラケット部材５５に装着する際に支持舌片５５ｄがカバー本体５４における結合舌片５４ｂと重ねられたときに、この結合舌片５４ｂに設けられた結合孔５４ｃに嵌入することで、カバー本体５４がブラケット部材５５によって支持される（ブラケット部材５５に対して着脱可能に装着される）ように形成されている。
【００３４】
ブラケット本体５５ａには、一対の係合舌片５５ｆが設けられている。係合舌片５５ｆは、板状部材であって、中心軸Ｃに沿って内側（図３における右下側・図５及び図６における下側）に向かって延出するように立設されている。係合舌片５５ｆには、係合爪５５ｇが、中心軸Ｃから離隔する方向に（すなわち上述の対称面から離隔する方向に）突出するように設けられている。
【００３５】
本実施形態においては、一対の係合舌片５５ｆは、互いに平行且つ中心軸Ｃについて非対称に設けられている。具体的には、一対の係合舌片５５ｆは、中心軸Ｃを通りブラケット本体５５ａの平面視における長手方向と直交する平面である対称面について面対称（鏡像対称）となるように設けられている。すなわち、一対の係合舌片５５ｆは、それぞれがクリーナ本体ケーシング５１における一対の切欠部５１ｃのそれぞれに対向するような位置に設けられている。
【００３６】
図５及び図６を参照すると、ヘッドランプクリーナリテーナ４１には、貫通孔４１０が設けられている。貫通孔４１０は、クリーナ本体部５ｂ（図４参照）が通過可能に形成されている。貫通孔４１０における開口端縁は、係合爪係合部４１２と係合爪非係合部４１３とを有している。係合爪非係合部４１３は、係合爪係合部４１２よりも中心軸Ｃから離隔する方向に突設された凹部であって、クリーナ本体ケーシング５１における切欠部５１ｃ（図３及び図４参照）に対応する位置に配置されている。
【００３７】
すなわち、ブラケット部材５５は、図３に示されているように係合舌片５５ｆ及び係合爪５５ｇが切欠部５１ｃに対応する位置となるような状態（車両組付状態：本発明の「第二の状態」に対応する）とされた場合には、クリーナ本体部５ｂに装着された状態で伸縮シリンダ５ａが伸縮しても、係合爪５５ｇが係合爪非係合部４１３及び切欠部５１ｃをスムーズに通過することで、ヘッドランプクリーナリテーナ４１及びクリーナ本体ケーシング５１と係合あるいは接触しないように構成されている。
【００３８】
一方、ブラケット部材５５は、図３に示された車両組付状態から中心軸Ｃを中心として１８０度回転させた状態（同時塗装時装着状態：本発明の「第一の状態」に対応する）とされた場合には、係合爪５５ｇが係合爪係合部４１２と係合することで、ヘッドランプクリーナリテーナ４１に対して着脱可能に装着されるように構成されている。
【００３９】
このように、ブラケット部材５５は、中心軸Ｃを中心として回転しないように姿勢が保持されたカバー本体５４を、上述の車両組付状態及び同時塗装時装着状態の双方の状態にて装着可能に構成されている。また、ブラケット部材５５は、同時塗装時装着状態にてヘッドランプクリーナリテーナ４１に装着されることで、カバーパネル５４ａの外表面がバンパー上面４ａと略面一となるような態様でカバー本体５４を支持するように構成されている。さらに、ブラケット部材５５は、上述の同時塗装時装着状態から中心軸Ｃを中心として１８０度回転された車両組付状態にて、カバー本体５４を支持しつつヘッドランプクリーナリテーナ４１に装着されることで、ヘッドランプクリーナ５の非洗浄動作時にて、バンパー４における開口部４ｂを、カバー本体５４によって、カバーパネル５４ａの外表面がバンパー上面４ａと略面一となるような態様で閉塞するように構成されている。
【００４０】
＜作用・効果＞
かかる構成においては、塗装工程に際し、ブラケット部材５５が、図５に示されているように同時塗装時装着状態に設定されつつ、ヘッドランプクリーナリテーナ４１に装着される。このとき、係合爪５５ｇがヘッドランプクリーナリテーナ４１における係合爪係合部４１２と係合することで、ブラケット部材５５はヘッドランプクリーナリテーナ４１に固定される。このようにしてヘッドランプクリーナリテーナ４１に装着（固定）された、同時塗装時装着状態のブラケット部材５５は、カバー本体５４を、カバーパネル５４ａの外表面がバンパー上面４ａと略面一となるようにしつつ固定的に支持することが可能である。
【００４１】
このため、同時塗装時装着状態のブラケット部材５５を介して、塗装前のカバー本体５４を塗装前のバンパー４に装着した状態で、バンパー４及びカバー本体５４（カバーパネル５４ａの外表面）の塗装を同時に行うことが可能となる。すなわち、塗装後にヘッドランプクリーナ５が組み立てられた状態と略同様の装着状態で、塗装前のカバー本体５４を塗装前のバンパー４に装着して、カバー本体５４及びバンパー４を同時に塗装工程に付することが可能となる。したがって、かかる構成によれば、バンパー４及びカバー本体５４との塗装状態を良好に整合させることが可能となる。
【００４２】
特に、本実施形態の構成のように、ブラケット部材５５を介してカバー本体５４をクリーナ本体部５ｂに装着する構造を採用することで、バンパー４とカバー本体５４とを同材質で形成することが容易となる。よって、バンパー４とカバー本体５４との塗装状態をよりいっそう良好に整合させることが可能になるとともに、バンパー４とカバー本体５４とを同材質で形成した場合の当該カバー本体５４のクリーナ本体部５ｂへの装着を良好に行うことが可能となる。さらに、係合爪５５ｇがブラケット部材５５に設けられているため、塗装前のバンパー４に対して塗装前のカバー本体５４を組み付けるための専用の冶具等の部材を用いなくても、バンパー４及びカバー本体５４の同時塗装が良好に行われる。
【００４３】
一方、カバー本体５４をクリーナ本体部５ｂに装着する際には、ブラケット部材５５が、車両組付状態に設定される。このとき、係合爪５５ｇは、係合爪係合部４１２ではなく係合爪非係合部４１３と対向するため、ヘッドランプクリーナリテーナ４１及びクリーナ本体ケーシング５１とは係合あるいは接触しない。よって、クリーナ本体部５ｂの進退動作及びこれに伴うカバー本体５４による開口部４ｂの開閉動作が、スムーズに行われる。
【００４４】
＜変形例の例示列挙＞
なお、上述の実施形態は、上述した通り、出願人が取り敢えず本願の出願時点において最良であると考えた本発明の代表的な実施形態を単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【００４５】
以下、代表的な変形例について、幾つか例示する。以下の変形例の説明において、上述の実施形態における各構成要素と同様の構成・機能を有する構成要素については、本変形例においても同一の名称及び同一の符号が付されているものとする。そして、当該構成要素の説明については、上述の実施形態における説明が、矛盾しない範囲で適宜援用され得るものとする。
【００４６】
もっとも、言うまでもなく、変形例とて、以下に列挙されたものに限定されるものではない。また、複数の変形例が、技術的に矛盾しない範囲内において、適宜、複合的に適用され得る。本発明（特に、本発明の課題を解決するための手段を構成する各構成要素における、作用的あるいは機能的に表現されているもの）は、上述の実施形態や、下記変形例の記載に基づいて限定解釈されてはならない。このような限定解釈は、（先願主義の下で出願を急ぐ）出願人の利益を不当に害する反面、模倣者を不当に利するものであって、許されない。
【００４７】
本発明は、上述の実施形態にて開示された具体的な装置構成に限定されない。例えば、「カバーパネル５４ａの外表面がバンパー上面４ａと略面一となる」とは、両者の間に全く段差がないことを必ずしも意味するものではない。また、ブラケット部材５５が同時塗装時装着状態である場合と車両組付状態である場合とで、カバーパネル５４ａの外表面とバンパー上面４ａとの段差の生成状態が異なっていてもよいし、略同一であってもよい。
【００４８】
すなわち、「カバーパネル５４ａの外表面がバンパー上面４ａと略面一となる」は、カバーパネル５４ａの外表面とバンパー上面４ａとの、中心軸Ｃに沿った方向の位置関係が、塗装工程において、バンパー４及びカバー本体５４（カバーパネル５４ａの外表面）との塗装状態を良好に整合させることが可能な程度に揃っている（段差がほとんどない：換言すれば段差がないか許容範囲の微小値である）とともに、車両１にヘッドランプクリーナ５が組み付けられた後の非洗浄動作時において、良好な美観が形成される程度に揃っていることを意味するものである。
【００４９】
また、カバー本体５４もまた、ブラケット部材５５とともに、同時塗装時装着状態から車両組付状態に向かって１８０度回転するようになっていてもよい。かかる構成によれば、バンパー４とカバー本体５４との同時塗装のために一旦カバー本体５４をブラケット部材５５に装着した後は、車両組付のためにカバー本体５４をブラケット部材５５から取り外してブラケット部材５５のみを回転させた後に再度カバー本体５４をブラケット部材５５に装着するという手間を省くことができる。なお、この場合、カバーパネル５４ａの外表面及びバンパー上面４ａの形状が、中心軸Ｃを中心として対称であることが好適である。
【００５０】
車両組付状態と同時塗装時装着状態とは、中心軸Ｃを中心として１８０度回転した関係に限定されない。具体的には、例えば、カバー本体５４の平面視における外形形状が円形である場合、両者の間のなす角度は任意に設定され得る。あるいは、カバー本体５４の平面視における外形形状が略正方形である場合、両者の間のなす角度は９０度に設定され得る。
【００５１】
その他、特段に言及されていない変形例についても、本発明の本質的部分を変更しない範囲内において、本発明の範囲内に含まれることは当然である。
【００５２】
また、本発明の課題を解決するための手段を構成する各要素における、作用的あるいは機能的に表現されている要素は、上述の実施形態や変形例にて開示されている具体的構造の他、当該作用あるいは機能を実現可能ないかなる構造をも含む。さらに、本明細書にて引用した各公報の内容（明細書及び図面を含む）は、技術的に矛盾しない範囲において、本明細書の一部を構成するものとして適宜援用され得る。
【符号の説明】
【００５３】
１…車両                            ２…車体  
３…ヘッドランプ                    ３ａ…アウターレンズ
４…バンパー
４ａ…バンパー上面                  ４ｂ…開口部
４１…ヘッドランプクリーナリテーナ  ４１０…貫通孔
４１２…係合爪係合部                ４１３…係合爪非係合部
５…ヘッドランプクリーナ            ５ａ…伸縮シリンダ
５ｂ…クリーナ本体部                ５ｃ…外側カバー部材
５１…クリーナ本体ケーシング        ５１ａ…側板
５１ｂ…組付片                      ５１ｃ…切欠部
５２…ノズル部                      ５３…ブラケット係合部
５４…カバー本体                    ５４ａ…カバーパネル
５４ｂ…結合舌片                    ５４ｃ…結合孔
５５…ブラケット部材                ５５ａ…ブラケット本体
５５ｂ…挿通孔                      ５５ｃ…ノズル係合部
５５ｄ…支持舌片                    ５５ｅ…支持爪
５５ｆ…係合舌片                    ５５ｇ…係合爪
Ｃ…中心軸                          ＷＦ…洗浄液
【先行技術文献】
【特許文献】
【００５４】
【特許文献１】特開２００３−１８２５３４号公報
【特許文献２】特開２００４−７４８４４号公報
【特許文献３】特開２００６−１３０９４９号公報
【図１】
0005672458.tif 000002
【図２】
0005672458.tif 000003
【図３】
0005672458.tif 000004
【図４】
0005672458.tif 000005
【図５】
0005672458.tif 000006
【図６】
0005672458.tif 000007